(57)【要約】本技術における家具ユニットは、光透過性のパネル（２）と、パネル（２）の裏面側にパネル（２）に接するように配置される表示装置（３）と、パネル（２）に固定され、表示装置（３）をパネル（２）の裏面側に保持する支持部材（４）とを備えたものである。これにより、表示機能を有する家具ユニットを提供することができる。
2014087557.tif 000002
【特許請求の範囲】
【請求項１】
光透過性のパネルと、
前記パネルの裏面側に前記パネルに接するように配置される表示装置と、
前記パネルに固定され、前記表示装置を前記パネルの裏面側に保持する支持部材とを備えた家具ユニット。
【請求項２】
前記パネルは、前記表示装置の画面より大きい面積を有するものである請求項１記載の家具ユニット。
【請求項３】
前記支持部材は、前記表示装置の周縁部をパネルに押し付けることにより前記表示装置を保持するものである請求項１記載の家具ユニット。
【請求項４】
前記パネルの裏面に、前記表示装置の画面の周囲を隠すように印刷パターンを形成した請求項１記載の家具ユニット。
【請求項５】
前記パネルの裏面に、装飾用シートを貼り付ける請求項１記載の家具ユニット。
【請求項６】
前記パネルは、複数の光透過性のパネルを貼り合わせて構成されたものである請求項１記載の家具ユニット。
【請求項７】
前記複数の光透過性パネルは樹脂で貼り合わせた請求項６記載の家具ユニット。
【請求項８】
前記樹脂に印刷を施した請求項７記載の家具ユニット。
【発明の詳細な説明】
【技術分野】
【０００１】
本技術は、表示装置を備えた家具ユニットに関する。
【背景技術】
【０００２】
従来、特許文献１に示すように、ディスプレイとしての機能を具備しながらも、通常の机として使用できるディスプレイ内蔵型の机が知られている。このディスプレイ内蔵型の机は、透明でかつ平面のガラスもしくは樹脂によって構成された机の天板と、その天板下部に配置したディスプレイを備える。これにより、一つの机で事務的作業の機能と、ディスプレイ端末としての機能を併せ持つものである。
【先行技術文献】
【特許文献】
【０００３】
【特許文献１】特開昭６１−１３５６０５号公報
【発明の概要】
【０００４】
本技術における家具ユニットは、光透過性のパネルと、パネルの裏面側にパネルに接するように配置される表示装置と、パネルに固定され、表示装置をパネルの裏面側に保持する支持部材とを備えたものである。これにより、表示機能を有する家具ユニットを提供することができる。
【図面の簡単な説明】
【０００５】
【図１】図１は本技術の実施の形態１における家具ユニットを備えたテーブルの外観を示す斜視図である。
【図２】図２は家具ユニットの上面図である。
【図３】図３は家具ユニットを備えたテーブルの外観を示す正面図である。
【図４】図４は家具ユニットの支持部材の一例を示す図３のＡ部の拡大断面図である。
【図５】図５は本技術の実施の形態２における家具ユニットの上面図である。
【図６】図６は家具ユニットを備えたテーブルの外観を示す正面図である。
【図７】図７は家具ユニットの支持部材の一例を示す拡大断面図である。
【図８】図８は実施の形態１による家具ユニット１を壁掛けの表示装置に適用した一例を示す側面図である。
【図９】図９は木製の板と家具ユニットを組み合わせたテーブルの外観を示す斜視図である。
【図１０】図１０は木製の板と家具ユニットを組み合わせたテーブルの外観を示す正面図である。
【発明を実施するための形態】
【０００６】
以下、本技術による家具ユニットの実施の形態について、図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００７】
なお、発明者らは、当業者が本技術を十分に理解するために添付図面及び以下の説明を提供するのであって、これらによって請求の範囲に記載の主題を限定することを意図するものではない。
【０００８】
（実施の形態１）
図１は、本技術の実施の形態１における家具ユニットを備えたテーブルの外観を示す斜視図である。図２は、家具ユニットの上面図である。図３は、家具ユニットを備えたテーブルの外観を示す正面図である。図４は、図３のＡ部を拡大して示す図で、家具ユニットの支持部材の一例を示す拡大断面図である。
【０００９】
図１〜図３に示すように、家具ユニット１は、強化ガラスからなる光透過性のパネル２と、パネル２の裏面側にパネル２に接するように配置される液晶ディスプレイからなる表示装置３と、パネル２に固定され、表示装置３をパネル２の裏面側に保持する支持部材４で構成されている。パネル２は、表示装置３の画面よりも大きい面積を有し、パネル２の裏面側に表示装置３が配置されている。
【００１０】
表示装置３の画面より大きい面積を有するパネル２と、このパネル２の裏面側に配置される表示装置３を有する家具ユニット１は、パネル２に４本の脚５を取り付けることにより、テーブル１０が構成されている。ここで、図示していないが、テーブル１０の脚５には、表示装置３の電源コードや信号入力用コードなどの配線コードが収容される空間が設けられている。これにより、表示装置３の配線コードにおいて、外部に露出する部分を最小限にすることができ、家具ユニット１を外部から見たときのデザイン性を向上させることができる。
【００１１】
また、図１に示すように、パネル２の裏面には、表示装置３の画面の周囲に配置された前面外装部を隠すように、黒色の枠状のセラミック印刷による印刷パターン２１が設けられている。黒色の枠状の印刷パターン２１は、幅を調整することにより、パネル２の表面側から表示装置３を見たときに、表示装置３の外装部が印刷パターン２１により見え難くなり、表示装置３の厚みを感じさせなくすることができる。さらに、表示装置３の電源コードや信号入力用コードなどの配線コードも見えにくくすることができ、デザイン性を向上させることができる。
【００１２】
表示装置３は、図３に示すように、前面外装部が透明な両面接着テープ２２によりパネル２の裏面に接着され、さらに支持部材４を用いてパネル２に固定されている。
【００１３】
支持部材４は、図４に示すように、まず、パネル２にザグリ穴加工を施し、ザグリ穴３１に皿ネジ３２を通し、皿ネジ３２をナット３３で固定する。次に、皿ネジ３２に、表示装置３を固定する金具３４を通し、ナット３５で固定する。これにより、表示装置３の周縁部がパネル２に金具３４により押し付けられ、パネル２の裏面側に表示装置３が固定される。なお、金具３４は平板状の形状でなくてもよく、表示装置を保持できる形状であれば、どのような形状でも構わない。
【００１４】
なお、パネル２の皿ネジ３２を通すザグリ穴３１において、パネル２と皿ネジ３２が接触してパネル２が破損しないように、樹脂製またはゴム製のスペーサーを挟むことが望ましい。また、パネル２とナット３３の間には、ナット３３との接触によりパネル２が破損しないように、樹脂製またはゴム製のスペーサーを挟むことが望ましい。また、パネル２をテーブルとして使用する場合、皿ネジ３２の頭部分には、引っかかり防止や人が触って怪我をしないように、例えば表面に金属や樹脂からなるカバーを設け、パネル２の表面と段差なく、ほぼ水平な仕上げにするのが好ましい。
【００１５】
以上のように、本実施の形態において、家具ユニット１は、表示装置３の前面に配置されるパネル２と、パネル２に固定され、表示装置３を保持する支持部材４を備えている。このような構成をとることにより、表示装置３を備えた家具ユニット１を提供することができる。
【００１６】
また、表示装置３は、前面外装部に貼った透明な両面接着テープ２２によりパネル２の裏面に接着され、支持部材４により保持されているため、表示装置３が故障した場合に、取り外して修理したり、別の表示装置と交換することが容易に行える。
【００１７】
このように本実施の形態の家具ユニットを用いることにより、メンテナンス性に優れた表示機能を有する家具を提供することができる。
【００１８】
また、パネル２と表示装置３を個別に変更することができるので、表示装置３の仕様だけを変えたり、季節や設置場所に応じてパネル２の外観を適宜変更したりすることも可能となる。
【００１９】
なお、本実施の形態において、パネル２と表示装置３の接着を透明な両面接着テープ２２で接着した例について示したが、パネル２のデザインや色によっては透明でない両面接着テープを使ってもよい。また、表示装置３の重量が小さいときは接着することなく、支持部材４のみで保持してもよい。
【００２０】
また、パネル２と表示装置３の接着部分の外周部に、例えばシリコン樹脂からなるシーリング材でシールすることにより、外部の塵埃や湿気が表示装置３の前面に進入することを防止することができる。
【００２１】
また、ＵＶ硬化型樹脂や透明粘着シートを介して表示装置３をパネル２に直接密着するように配置してもよい。この場合、パネル２と表示装置３との間に隙間がなくなるため、外光や映像光の反射が減少してクリアな画像を表示することができる。
【００２２】
また、本実施の形態において、パネル２の裏面側に表示装置３の外装部分を隠すために黒色の枠状のセラミック印刷による印刷パターン２１を形成した例について説明したが、この印刷をパネルの表面に施してもよい。また、黒色の枠状の印刷の他に、パネル２において、表示装置の表示領域以外の領域にデザイン印刷を施しても構わない。さらに、デザイン印刷用のインクとして、赤外線を透過するインクを用いて印刷したり、部分的に赤外線を透過するように、例えばドット印刷にするなどの工夫を行うことにより、表示装置３を赤外線を用いたリモコンにより操作することも可能となる。
【００２３】
さらに、セラミック印刷による印刷パターン２１の代わりに、予め模様などを印刷した装飾用シートを準備し、パネル２の裏面に装飾用シートを貼り付ける構成としてもよい。
【００２４】
また、本実施の形態において、表示装置３として、液晶ディスプレイ装置を用いた例について説明したが、この他にプラズマディスプレイパネル、有機ＥＬパネル、無機ＥＬパネル、ＦＥＤ（Ｆｉｅｌｄ  Ｅｍｉｓｓｉｏｎ  Ｄｉｓｐｌａｙ）パネル、ＬＥＤ（Ｌｉｇｈｔ  Ｅｍｉｔｔｉｎｇ  Ｄｉｏｄｅ）パネルなどの各種ディスプレイパネルを使用した表示装置を用いてもよい。
【００２５】
（実施の形態２）
次に、図５〜図７を用いて、実施の形態２による家具ユニットについて説明する。
【００２６】
図５は、本技術の実施の形態２における家具ユニットの上面図である。図６は、家具ユニットを備えたテーブルの外観を示す正面図である。図７は、家具ユニットの支持部材の一例を示す拡大断面図である。
【００２７】
図５〜図７に示すように、家具ユニット１１は、光透過性のパネル９と、パネル９の裏面側にパネル９に接するように配置される表示装置３と、パネル９に固定され、表示装置３をパネル９の裏面側に保持する支持部材４とにより構成されている。パネル９は、表示装置３の画面よりも大きい面積を有し、パネル９の裏面側に表示装置３が配置されている。
【００２８】
表示装置３の画面より大きい面積を有するパネル９と、このパネル９の裏面側に配置される表示装置３を有する家具ユニット１１は、パネル９に４本の脚５を取り付けることにより、テーブル２０が構成されている。ここで、図示していないが、テーブル２０の脚５には、表示装置３の電源コードや信号入力用コードなどの配線コードが収容される空間が設けられている。これにより、表示装置３の配線コードにおいて、外部に露出する部分を最小限にすることができ、家具ユニット１１を外部から見たときのデザイン性を向上させることができる。
【００２９】
図６に示すように、本実施の形態のパネル９は、強化ガラス６、７からなる光透過性の複数のパネルをＰＶＢ（ポリビニルブチラール）樹脂による樹脂８で貼り合せた構成の合わせガラスにより構成されている。樹脂８は、インクジェット装置でデザイン印刷したＰＶＢ樹脂層と、全体に薄いグレーに着色したＰＢＶ樹脂層を積層した構成である。
【００３０】
パネル９は、樹脂８を光透過性のパネルである強化ガラス６、７で挟むことにより、図５のように、パネル９の表示装置３以外の領域は、印刷による黒塗りの線と薄いグレーの領域の印刷パターン２１が見えるようになり、この印刷パターン２１により支持部材４を隠すことができる。さらに、表示装置３から引き出される配線ケーブルも見えにくくすることができ、家具ユニット１１のデザイン性を向上させることができる。
【００３１】
本実施の形態の家具ユニット１１においては、上記実施の形態１と同様、表示装置３は、前面外装部において、透明の両面接着テープ２２によりパネル９の裏面に接着され、さらに支持部材４を用いて保持されている。
【００３２】
また、支持部材４は、図７に示すように、パネル９の強化ガラス７にザグリ穴加工を施し、ザグリ穴３１に皿ネジ３２を通し、皿ネジ３２をナット３３で固定する。次に、皿ネジ３２に、表示装置３を固定する金具３４を通し、ナット３５で固定する。これにより、表示装置３の周縁部がパネル９の強化ガラス７に金具３４により押し付けられ、パネル９の裏面側に表示装置３が固定される。この場合も、強化ガラス７と皿ネジ３２を通す部分においては、強化ガラス７と皿ネジ３２が接触して破損しないように、樹脂製またはゴム製のスペーサーを挟むことが望ましい。また、強化ガラス７とナット３３の間には、接触により強化ガラス７が破損しないように、樹脂製またはゴム製のスペーサーを挟むことが望ましい。
【００３３】
以上のように、本実施の形態において、家具ユニット１１は、表示装置３の前面に配置されるパネル９と、パネル９に固定され、表示装置３を保持する支持部材４を備えている。また、パネル９は、光透過性のパネルである強化ガラス６、７をＰＶＢ樹脂などの樹脂８で貼り合わせて構成されている。
【００３４】
このような構成により、表示装置３を備えた家具ユニット１１を提供することができ、表示機能を有するテーブル２０を提供することが可能となる。また、表示装置３は前面外装部に貼った透明の両面接着テープ２２で、パネル２の裏面に接着され、支持部材４により保持されている構成である。この構成のため、上記実施の形態１と同様、表示装置３が故障した場合に、取り外して修理したり、別の表示装置と交換することが容易に行え、メンテナンス性に優れた表示機能を有する家具を提供することができる。
【００３５】
また、パネルと表示装置を個別に変更することができるので、表示装置の仕様だけを変えたり、季節や設置場所に応じてパネルの外観を適宜変更したりすることも可能となる。
【００３６】
なお、本実施の形態において、強化ガラスを貼り合せる面に印刷による印刷パターン２１でデザイン性を向上させる例について説明したが、和紙や金箔などのデザイン素材の装飾用シートを挟む構成にしてもよい。この場合、デザイン性や意匠性が向上するとともに、家具ユニットを設置する場所に合わせた商品を提供することができる。
【００３７】
また、強化ガラスを貼り合せる面に、電圧のＯＮ／ＯＦＦで着色／透明が変化する液晶シートや太陽電池セル、ＬＥＤチップなどの配線を含む電子デバイスを配置する構成にしてもよい。この場合、表示装置３によるディスプレイ機能に加えて、別の機能を持たせることが可能になるため、応用の幅が広がる効果がある。
【００３８】
さらに、本実施の形態では、２枚の強化ガラスを貼り合わせた構成を説明したが、３枚以上の強化ガラスを貼り合わせたり、素ガラスを貼り合せたり、アクリル樹脂板などの樹脂板を貼り合せたりする構成でもよい。
【００３９】
また、実施の形態１と同様、強化ガラス６、７のいずれか一方、または両方の表面に印刷パターン２１を形成してもよい。この場合、樹脂８への印刷や、和紙などのデザイン素材の装飾用シートを挟み込んで、合わせガラスを作製することにより、よりデザイン性に優れた家具ユニットを構成することが可能になる。
【００４０】
また、ＰＶＢ樹脂以外に、ＥＶＡ（エチレンビニルアクリレート）樹脂を用いて合わせガラスを作製してもよい。
【００４１】
以上のように、本出願において開示する技術の例示として、実施の形態１、２を説明した。しかしながら、本技術は、これに限定されず、適宜、変更、置き換え、付加、省略などを行った実施の形態にも適用可能である。また、上記実施の形態１、２で説明した各構成要素を組み合わせて、新たな実施の形態とすることも可能である。
【００４２】
（他の実施の形態）
次に他の実施の形態を説明する。
【００４３】
図８は実施の形態１による家具ユニット１を壁掛けの表示装置に適用した一例を示す側面図である。
【００４４】
図８に示すように、家具ユニット１のパネル２に固定具１４を装着し、固定具１４を壁１５に固定することによって、壁掛け表示装置として機能する家具ユニットを提供することができる。
【００４５】
なお、各実施の形態において、パネルの材料として強化ガラスを用いた例について示したが、他の材料として、ソーダガラス、化学強化ガラス、色付きの透明ガラスなどのガラス材料や、アクリル樹脂やポリカーボネート樹脂の透明または色付きで透明な樹脂材料を用いてもよい。また、パネルの表面に赤外線反射機能や反射防止（Ａｎｔｉ  Ｒｅｆｌｅｃｔｉｏｎ）機能や防汚機能などを備えた膜を形成したり、それらの機能を備えたフィルムをガラス部材表面に貼り合せてもよい。
【００４６】
また、パネルの表面または内面に小型カメラやタッチセンサー、モーションキャプチャー機能などの入力デバイスを設けることにより、インタラクティブな情報交換端末や情報入力端末を提供することが可能である。
【００４７】
また、パネルに振動式スピーカーを設置すれば、パネル自身を振動板としたスピーカーにすることができる。この場合、スピーカーがパネルの表面に露出することがないので、デザイン性にも優れた家具ユニットが実現できる。
【００４８】
また、表示装置は、映像入出力機器やネットワークと接続する方法として、有線で接続する方法の他に、無線で接続する方法も備えることができる。この場合、離れた場所や、複数の端末から表示装置にアクセスできるため、オフィスにおける会議システムや家庭や公共機関における情報表示端末として有効である。また、近年普及が進んでいるスマートフォンやタブレット端末と無線での連携を可能にすることにより、コミュニケーションツールとしての利用方法が考えられる。
【００４９】
また、実施の形態２では２枚の強化ガラスを貼り合わせたパネルを用いて説明したが、上述したように、３枚以上の構成も可能である。例えば、２枚の強化ガラスを合わせたパネルの表面にポリカーボネート樹脂からなるパネルを透明粘着シートや透明接着剤で接着する。ポリカーボネート樹脂は耐衝撃性に優れるため、強度が向上するとともに、デザイン性を付加する効果もある。
【００５０】
さらに、本実施の形態においては、表示装置を備えたパネルのみで家具ユニットを構成した例について示したが、透明部材以外の材料と組み合わせて家具ユニットを構成してもよい。
【００５１】
図９、図１０はその一例を示す図であり、図９、図１０は、木製の板９０と家具ユニット１を組み合わせたテーブルの外観を示す斜視図及び正面図である。
【００５２】
図９、図１０に示すように、木製の板９０などの他の材料と組み合わせることにより、設置場所や環境に合わせたデザイン性の高い家具を提供することが可能になる。例えば、表示装置が埋め込まれた壁やパーティションなどの家具を提供することができる。
【００５３】
以上のように、本技術における技術の例示として、実施の形態を説明した。そのために、添付図面及び詳細な説明を提供した。
【００５４】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５５】
また、上述の実施の形態は、本技術における技術を例示するためのものであるから、請求の範囲またはその均等の範囲において種々の変更、置き換え、付加、省略などを行うことができる。
【産業上の利用可能性】
【００５６】
本技術は、表示装置を備えた家具を提供する家具ユニットに適用可能である。具体的には、テーブル、壁、パーティションなどに、本技術は適用可能である。
【符号の説明】
【００５７】
１，１１  家具ユニット
２，９  パネル
３  表示装置
４  支持部材
５  脚
６，７  強化ガラス
８  樹脂
１０，２０  テーブル
１４  固定具
１５  壁
２１  印刷パターン
２２  両面接着テープ
３１  ザグリ穴
３２  皿ネジ
３３，３５  ナット
３４  金具
９０  木製の板
【図１】
2014087557.tif 000003
【図２】
2014087557.tif 000004
【図３】
2014087557.tif 000005
【図４】
2014087557.tif 000006
【図５】
2014087557.tif 000007
【図６】
2014087557.tif 000008
【図７】
2014087557.tif 000009
【図８】
2014087557.tif 000010
【図９】
2014087557.tif 000011
【図１０】
2014087557.tif 000012
【国際調査報告】
2014087557.tif 000013
2014087557.tif 000014
2014087557.tif 000015
2014087557.tif 000016